(57)【要約】【課題】本体部の表面を含めて全体をよりシンプルな形状とすることができ、これにより、衛生的で洗いやすく、製作性や着脱操作性も良好な補助具を備えた食器を提供すること。【解決手段】食器１の開口部１３に装着して用いる補助具２であって、環状に形成される内部中空な本体部２１と、本体部２１の下部に設けられて、食器１の開口部周縁１４に嵌合する嵌合溝２２と、を備え、嵌合溝２２は、本体部２１の下部に沿って延びていることを特徴とする。【選択図】図２
0003178748.tif 000002
【実用新案登録請求の範囲】
【請求項１】
食器の開口部に装着して用いる補助具であって、
環状に形成される内部中空な本体部と、
本体部の下部に設けられて、前記食器の開口部周縁に嵌合する嵌合溝と、を備え、
前記嵌合溝は、前記本体部の下部に沿って延びていることを特徴とする補助具。
【請求項２】
前記本体部は、断面円形状に形成されていることを特徴とする、請求項１に記載の補助具。
【請求項３】
前記本体部は、弾力性のある筒状チューブにより形成されていることを特徴とする請求項１又は２に記載の補助具。
【請求項４】
前記本体部は、環状の一部を形成するように曲げ形成されていることを特徴とする請求項１〜３の何れかに記載の補助具。
【請求項５】
前記嵌合溝の深さ方向が、前記本体部の径方向であることを特徴とする、請求項１〜４の何れかに記載の補助具。
【請求項６】
前記本体部は、断面楕円形状に形成され、その楕円の長辺側に前記嵌合溝が設けられていることを特徴とする、請求項１〜５の何れかに記載の補助具。
【請求項７】
前記嵌合溝が、本体部の外径部寄りに設けられていることを特徴とする請求項６に記載の補助具。
【請求項８】
請求項１〜７の何れかに記載の補助具を備えた食器。
【考案の詳細な説明】
【技術分野】
【０００１】
本考案は、食器に装着して、食器内の食物のこぼれを防ぐのに好適な食器の補助具、およびその補助具を備えた食器に関する。
【背景技術】
【０００２】
お椀形の食器や、食品を収納してそのまま食器として用いられる容器では、容器の内周面が外側へ開くように傾斜していることが多く、食品がこぼれやすい。
【０００３】
そのため、特に、乳幼児や高齢者などのように、手の動作が不自由な人にとっては、食品がこぼれやすいという不具合がある。
【０００４】
例えば、乳幼児がスプーンやフォーク等を用いて、食器内の食品をすくうようにして取り出す際に、食品が食器の上端の開口縁部を乗り越えてこぼれ出てしまう場合が多々あった。
【０００５】
この点の対策として、特許文献１には、容器の開口部周縁に嵌合させる嵌合部と、この嵌合部から容器開口部の内側方向に突出する柔軟性および弾性を有する庇部とによって、内容物のこぼれ出し防止用の補助具を構成する技術が開示されている。
【０００６】
特許文献２には、柔軟性、弾性を有し、幅方向に屈曲自在の帯状部材よりなり、庇部と付着部とが長さ方向に設けられ、付着部を容器の開口部近辺に付着して、庇部を容器開口部から内側方向に突出させるようにした、容器内容物取出し補助具の技術が開示されている。
【０００７】
特許文献３には、手に持ったコップがゆれてもこぼれを防ぐことを目的として、コップの上縁口部に嵌合する環帯部と、環帯部に沿って環状に一周する底辺部と、その底辺部から下方に延びて環状に一周する防波壁部とを形成した補助具の技術が開示されている。
【先行技術文献】
【特許文献】
【０００８】
【特許文献１】特開２００２−２５５１８２号公報
【特許文献２】特開２００２−２４９１８１号公報
【特許文献３】実用新案登録第３０１４１９５号公報
【考案の概要】
【考案が解決しようとする課題】
【０００９】
特許文献１に記載の補助具の場合、容器から内容物をスプーン等ですくい易く、外部へこぼし難いようにし、容器に簡単に手で取り付けることができる利点が得られる。
【００１０】
しかしながら、この補助具の場合、庇部の形状が複雑で、製作性が悪い上に、次のような課題もあった。即ち、庇部の形状が複雑なために、その補助具を洗い難く、衛生的に保つのに手間がかかるという課題があった。
【００１１】
特許文献２に記載の補助具の場合、幅方向に屈曲自在の帯状部材を主体とし、その帯状部材の庇部に、細かい山形状の多数のフレアを設けている。そのため、この特許文献２に記載の補助具も、特許文献１の場合と同様に、製作性が悪い上に、補助具を洗い難く、衛生的に保つのに手間がかかるという課題がある。
【００１２】
特許文献３に記載の補助具の場合、コップの上縁口部に嵌合する環帯部と、環帯部に沿って環状に一周する底辺部と、その底辺部から下方に延びて環状に一周する防波壁部とを有している。そのため、この特許文献３に記載の補助具も、特許文献１、２の場合と同様に、製作性が悪い上に、補助具を洗い難く、衛生的に保つのに手間がかかるという課題がある。
【００１３】
よって、本考案は、全体をよりシンプルな形状とすることで、衛生的で洗いやすく、製作性や着脱操作性も良好な食器の補助具およびそれを備えた食器を提供することを課題とする。
【課題を解決するための手段】
【００１４】
上記課題を解決するために、本考案は、食器の開口部に装着して用いる補助具であって、環状に形成される内部中空な本体部と、本体部の下部に設けられて、前記食器の開口部周縁に嵌合する嵌合溝と、を備え、前記嵌合溝は、前記本体部の下部に沿って延びていることを特徴とする。
【００１５】
本考案によれば、環状に形成される内部中空な本体部と、本体部の下部に設けられて、食器の開口部周縁に嵌合する嵌合溝と、を備える構成としているので、本体部の表面を含めて全体をよりシンプルな形状とすることができ、これにより、衛生的で洗いやすく、製作性や着脱の操作性も良好な補助具を提供することができる。
【００１６】
本考案の好ましい形態では、前記本体部は、断面円形状に形成されていることを特徴とする。
このように断面円形状に形成した場合、その円形の大きさを予め必要な大きさに設定しておくことで、この補助具を食器に装着した状態において、十分な高さと、食器の内方への突出長を確保することが可能になる。これにより、上記の効果に加えて、食物が食器からこぼれ出すのを防止する機能も十分に高めることができる。
【００１７】
本考案の好ましい形態では、前記本体部は、弾力性のある筒状チューブにより形成されていることを特徴とする。
このように本体部を弾力性のある筒状チューブにより形成することで、その弾力性を利用して、本体部の嵌合溝を食器の開口部周縁に装着したり外したりする操作を行いやすくすることができる。
また、本体部が弾力性を有するので、本体部を食器の周縁部の形状に添うように容易に装着することができる。
【００１８】
本考案の好ましい形態では、前記本体部は、環状の一部を形成するように曲げ形成されていることを特徴とする。
このように、環状の一部を形成するように本体部を曲げ形成した場合、本体部全体が環状に形成されていない状態でも、例えば、本体部を筒状チューブで形成している場合でも、本体部を環状に癖付（くせづけ）することができる。これにより、この補助具を食器に対して容易に装着することが可能になる。
【００１９】
本考案の好ましい形態では、前記嵌合溝の深さ方向が、前記本体部の径方向であることを特徴とする。
このように、嵌合溝の深さ方向を、本体部の径方向に設定することで、嵌合溝の深さを十分に確保できると共に、補助具全体の高さも十分に確保することができる。
【００２０】
本考案の好ましい形態では、前記本体部は、断面楕円形状に形成され、その楕円の長辺側に前記嵌合溝が設けられていることを特徴とする。
このように、前記本体部を、断面楕円形状に形成し、その楕円の長辺側に嵌合溝を設けることで、本体部の内径側を食器の内方側へ大き目に張り出す形態とすることができる。これにより、上記の効果に加えて、食物が食器からこぼれ出すのを防止する機能をさらに高めることができる。
【００２１】
本考案の好ましい形態では、前記嵌合溝が、本体部の外径部寄りに設けられていることを特徴とする。
このように、嵌合溝を、本体部の外径側寄りに設けた場合、本体部の内径側を食器の内方側へさらに大き目に張り出す形態とすることができる。これにより、食物が食器からこぼれ出すのを防止する機能をさらに一段と高めることができる。
【００２２】
本考案では、上記に記載の補助具と、この補助具を装着する食器とを備えたことを特徴としている。
このような補助具を備えた食器では、本体部の表面を含めて全体をよりシンプルな形状とすることができる。これにより、衛生的で洗いやすく、製作性や着脱操作性も良好にすることができる。
【考案の効果】
【００２３】
本考案によれば、本体部の表面を含めて全体をよりシンプルな形状とすることができ、これにより、衛生的で洗いやすく、製作性や着脱操作性も良好な補助具を備えた食器を提供することができる。
【図面の簡単な説明】
【００２４】
【図１】本考案の実施形態１に係る補助具とそれを装着する食器を示す斜視図である。
【図２】本考案の実施形態１に係る補助具とそれを装着する食器の断面図である。
【図３】本考案の実施形態１に係る補助具を食器に装着した状態の断面図である。
【図４】本考案の実施形態２に係る補助具とそれを装着する食器の断面図である。
【図５】本考案の実施形態２に係る補助具を食器に装着した状態の断面図である。
【図６】本考案の実施形態３に係る補助具とそれを装着する食器の断面図である。
【図７】本考案の実施形態３に係る補助具を食器に装着した状態の断面図である。
【図８】本考案の実施形態４に係る補助具とそれを装着する食器の断面図である。
【図９】本考案の実施形態５に係る補助具を容器に装着した状態の断面図である。
【考案を実施するための形態】
【００２５】
以下、本考案の実施形態について図１ないし図９を参照して説明する。
＜実施形態１＞
図１、図２及び図３は、本考案の補助具を乳幼児用の食器に適用した例を示すものである。これらの図において、１は食器を、２は補助具を示している。食器１は、図１及び図２に示すように、扁平な底部１１と周壁１２とを有し、その内部に図示しない食物が収容される。周壁１２はほぼ垂直に立ち上がり、その周壁１２の上端部分である、開口部１３の周縁１４は上面が丸められている。
【００２６】
補助具２は、食器１の開口部１３に装着して用いるものであって、環状に形成される内部中空な本体部２１と、本体部２１の下部に設けられて、食器１の開口部周縁１４に嵌合する嵌合溝２２と、を備えている。そして、嵌合溝２２は、本体部２１の下部に沿って延びている。
【００２７】
次いで、これらの詳細について説明する。
この実施形態１における、補助具２の本体部２１は、上面から見た全体形状が環状（ドーナツ状）に形成されると共に、その縦断面が図２に示すように概略円形状に形成されている。但し、嵌合溝２２の部分は、本体部２１の底部から本体部２１の内方へ凹んだ形状となっている。したがって、補助具２は、嵌合溝２２を有するチューブ状部材が環状に曲げ形成されたような構成となっている。
【００２８】
この補助具２の本体部２１は柔軟性及び耐熱性のあるゴムや樹脂等で形成されている。例えば合成ゴム、ポリエチレンやポリプロピレン等のポリオレフィン系樹脂が好適に採用される。ポリオレフィン系樹脂を用いる場合には、可塑剤の配合により十分な柔軟性が付与されたものが好ましい。
【００２９】
本体部２１の断面の直径としては、食器１の大きさによっても左右されるが、例えば、乳幼児から子供用の場合には、８〜２０ｍｍ程度が好ましく、より好ましくは１２〜１６ｍｍ程度である。
成人用、老人用の場合には、１５〜２５ｍｍ程度、必要に応じてそれ以上に設定される場合もある。
【００３０】
嵌合溝２２の溝幅については、食器１の周壁１２の上端部分の肉厚、即ち、周壁１２の周縁１４付近の肉厚寸法ｄと同程度の寸法に、あるいはそれよりも僅かに小さい寸法に設定される。このように設定することで、本体部２１及び嵌合溝２２の弾力性を利用して食器１から容易に外れないようにしっかりと装着することができる。
【００３１】
嵌合溝２２の溝深さについては、溝幅の大小、本体部２１を形成する材質、本体部２１の断面の直径や大きさにより左右される高さ寸法ｈにもよるが、例えば、本体部２１の断面の直径が１５ｍｍの場合は、３ｍｍ〜１０ｍｍ程度、好ましくは５〜７ｍｍ程度に設定される。このように設定することで、本体部２１及び嵌合溝２２の弾力性を利用して食器１から容易に外れないようにしっかりと装着することができる。
【００３２】
本実施形態によれば、環状に形成される内部中空な本体部２１と、本体部２１の下部に設けられて、食器１の開口部周縁１４に嵌合する嵌合溝２２と、を備える構成としているので、本体部２１の表面を含めて全体をよりシンプルな形状とすることができる。これにより、全体が衛生的で洗いやすい構成とすることができる。
【００３３】
また、環状の本体部２１の底部に嵌合溝２２を設けるだけで済むため、金型成形により容易に製作することができる。さらに、嵌合溝２２を有する本体部２１を弾力性のある材料で形成してあるので、食器１の開口部周縁１４に補助具２の嵌合溝２２を嵌め込んで装着する操作及び取り外す操作を容易に行うことができる。
【００３４】
また、このように、本体部２１を断面円形状に形成した場合、その円形の大きさを予め必要な大きさに設定しておくことで、この補助具２を食器１に装着した状態において、十分な高さ（食器の深さＤ１）と、食器１の開口部１３における内方への十分な突出長ａを確保することが可能になる。これにより、食物が食器１からこぼれ出すのを防止する機能を十分に高めることができる。
【００３５】
また、図２に示すように、嵌合溝２２の深さ方向を、本体部２１の径方向に設定することで、嵌合溝２２の深さを十分に確保できると共に、補助具２全体の高さも十分に確保することができる。
【００３６】
＜実施形態２＞
図４および図５は、本考案の実施形態に係る補助具を乳幼児用の他の形状の食器に適用した例を示す断面図である。なお、これらの図において、図１ないし図３と基本的に同一構成要素については同一の符号を付してその説明を簡略化する。
【００３７】
この実施形態２における補助具２も、環状に形成される内部中空な本体部２１と、本体部２１の下部に設けられて、食器１の開口部周縁１４に嵌合する嵌合溝２２と、を備えている。そして、嵌合溝２２は、本体部２１の下部に沿って延びている。但し、この実施形態２では、実施形態１に比べて、食器１の形状が断面半球形の椀形に形成されている点で相違している。
【００３８】
このように、食器１の内面が球面状の場合、図示しない内部の食物が外へ出やすくなるが、嵌合溝２２を周縁１４に嵌め込んで装着した補助具の存在により、食物が飛び出し難い形態となる。
【００３９】
＜実施形態３＞
図６及び図７は、本考案の実施形態３に係る補助具を乳幼児用の食器に適用した例を示す断面図である。なお、これらの図において、図１ないし図３と基本的に同一構成要素については同一の符号を付してその説明を簡略化する。
【００４０】
この実施形態３では、本体部２１を、断面楕円形状に形成し、その楕円の長辺側に、食器１の周縁１４に嵌め込む嵌合溝２２を設けた点に特徴がある。このように、本体部２１を、断面楕円形状に形成し、その楕円の長辺側に嵌合溝２２を設けることで、本体部２１の内径側を食器１の内方側へ大き目に張り出す形態とすることができる。これにより、上記実施例の効果に加えて、食物が食器１からこぼれ出すのを防止する機能をさらに高めることができる。
【００４１】
また、このように、嵌合溝２２を、本体部２１の外径側寄りに設けた場合、本体部２１の内径側を食器の１内方側へさらに大き目に張り出す形態とすることができる。これにより、食物が食器１からこぼれ出すのを防止する機能をさらに一段と高めることができる。
【００４２】
＜実施形態４＞
図８及び図９は、本考案の実施形態４に係る補助具を乳幼児用の食器に適用した例を示す断面図である。なお、これらの図において、図１ないし図３と基本的に同一構成要素については同一の符号を付してその説明を簡略化する。
【００４３】
この実施形態４に係る補助具２は、環状に形成される内部中空な本体部２１と、本体部２１の下部に設けられて、食器１の開口部周縁１４に嵌合する嵌合溝２２と、を備えている。但し、この実施形態４では、先の各実施形態に比べて、補助具２が１本の筒状チューブからなる本体部２１と、その本体部２１の底部となる部分に、即ち、本体部２１の外周部分に設けられた嵌合溝２２とで構成されている点に特徴がある。
【００４４】
したがって、図８に示す例は、補助具２の本体部２１の長さと、食器１の開口部周縁１４の長さとが同一に設定されている場合を示している。この場合、本体部２１の両端２１ａ、２１ｂ間に隙間はなく、ほぼ密着している。
【００４５】
一方、図９に示す例は、補助具２の本体部２１の長さと、食器１の開口部周縁１４の長さとが異なる長さに設定されている場合を示している。図９の場合、本体部２１の長さが周縁１４の長さよりも短く、本体部２１の両端２１ａ、２１ｂ間に隙間αが形成されている。なお、本体部２１の両端は開口部が形成されていてもよいが、衛生的で洗いやすい点に配慮した場合、閉塞されているのが好ましい。閉塞する場合には、チューブ状本体部の制作性に配慮して、蓋材や閉塞材で閉じる構成とするのが好ましい。
【００４６】
この実施形態によれば、本体部２１を弾力性のある筒状チューブにより形成することで、その弾力性を利用して、本体部２１の嵌合溝２２を食器１の開口部周縁１４に装着したり外したりする操作を行いやすくすることができる。
【００４７】
しかも、本体部２１が弾力性を有するので、本体部２１を食器１の周縁１４の形状に添うように容易に装着することができる。したがって、食器１の周縁１４が楕円形状や多角形状、あるいはハート型のような各種形状でも、その形状に添わせて装着することが可能になる。
【００４８】
また、環状の一部を形成するように本体部２１を曲げ形成した場合、先の実施形態のように、本体部２１全体を環状に形成していない状態でも、例えば、本体部２１をこのように筒状チューブで形成している場合でも、本体部２１を環状に癖付（くせづけ）することができる。これにより、この補助具２を食器１に対して容易に装着することが可能になる。
【００４９】
また、本体部２１を１本の筒状チューブで形成することで、押し出し成形等によって、本体部２１と嵌合溝２２とを同時に成形することができる。これにより、製作性をさらに高めることができる。また、本体部２１の両端２１ａ、２１ｂ間の隙間αは、例えば図９に示すように、スプーンＳや箸等を置く場所として好適である。スプーンＳ等がずれ落ちないように、そこへ保持しておく機能を付与することができるからである。
【符号の説明】
【００５０】
１  食器
１１  底部
１２  周壁
１３  開口部
１４  周縁
２  補助具
２１  本体部
２２  嵌合溝
Ｓ  スプーン
α  隙間
【図１】
0003178748.tif 000003
【図２】
0003178748.tif 000004
【図３】
0003178748.tif 000005
【図４】
0003178748.tif 000006
【図５】
0003178748.tif 000007
【図６】
0003178748.tif 000008
【図７】
0003178748.tif 000009
【図８】
0003178748.tif 000010
【図９】
0003178748.tif 000011